(57)【要約】【課題】発根苗をポットに植え替える鉢上げ作業時に、発根苗を落とし込む植え込み穴を容易に形成することができると共に、形成された植え込み穴が崩れてしまうことがないようにした発根苗の鉢移植方法及び鉢移植装置を提供する。【解決手段】ポットに充填された用土に散水して適宜に含水させ、該用土にドリルによって植え込み穴を穿設する。ドリルによって穿設するから、過大な負荷に抗する必要がない。そして、この植え込み穴に発根苗Ｓを落とし込む。含水した用土は土粒が密着した状態にあるから、ドリルの回転によって植え込み穴から排出された用土は植え込み穴の上縁部に盛られる。これに散水することにより上縁部の盛り土を崩して、株元に覆土することができる。【選択図】　　　　図１
2004041135.tif 000002
【特許請求の範囲】
【請求項１】
ポットに充填された用土に植え込み穴を形成し、該植え込み穴に発根苗を落とし込んで鉢上げする発根苗の鉢移植方法において、
ポットに用土を充填し、
前記用土に散水し、
含水した前記用土に植え込み穴を形成し、
前記植え込み穴に発根苗を落とし込むことを特徴とする発根苗の鉢移植方法。
【請求項２】
ポットに充填された用土に植え込み穴を形成し、該植え込み穴に発根苗を落とし込んで鉢上げする発根苗の鉢移植方法において、
ポットに用土を充填し、
前記用土に散水し、
含水した前記用土に植え込み穴を形成し、
前記植え込み穴に発根苗を落とし込み、
前記発根苗の株元に散水して植え込み穴を埋めることを特徴とする発根苗の鉢移植方法。
【請求項３】
前記植え込み穴を、ドリルで穿って形成することを特徴とする請求項１または請求項２に記載の発根苗の鉢移植方法。
【請求項４】
前記ポットは適宜個数をトレイに収容させて供することを特徴とする請求項１ないし請求項３のいずれかに記載の発根苗の鉢移植方法。
【請求項５】
ポットに用土を充填し、該用土に植え込み穴を形成し、この植え込み穴に発根苗を落とし込んで鉢上げする発根苗の鉢移植装置において、
ポットに用土を充填する土込め手段と、
前記ポットに込められた用土に対して散水する散水手段と、
散水され含水した用土に植え込み穴を形成する穴形成手段とを備えたことを特徴とする発根苗の鉢移植装置。
【請求項６】
ポットに用土を充填し、該用土に植え込み穴を形成し、この植え込み穴に発根苗を落とし込んで鉢上げする発根苗の鉢移植装置において、
ポットに用土を充填する土込め手段と、
前記ポットに込められた用土に対して散水する準備散水手段と、
散水され含水した用土に植え込み穴を形成する穴形成手段と、
前記植え込み穴に落とし込まれた発根苗の株元に散水する完了散水手段とを備えたことを特徴とする発根苗の鉢移植装置。
【請求項７】
前記穴形成手段は、ドリルにより用土に穴を穿って植え込み穴を形成することを特徴とする請求項５または請求項６に記載の発根苗の鉢移植装置。
【請求項８】
前記ポットは適宜個数をトレイに収容させ、該トレイに収容されているポットに対して、土込めと散水、穴形成を行うことを特徴とする請求項５ないし請求項７のいずれかに記載の発根苗の鉢移植装置。
【発明の詳細な説明】
【０００１】
【産業上の利用分野】
この発明は、用土を充填した鉢、特に育苗に適し、流通過程での運搬に適したポットに発根苗を移植する発根苗の鉢移植方法及び鉢移植装置に関する。
【０００２】
【従来の技術】
パンジーやセキチク、ハボタンなどの花苗や、レタスやトマト、ナス、ピーマンなどの野菜自根苗などの自根苗は、発芽し発根した発根苗をポットに鉢上げし、多数のポットを育苗トレイに整列収容させて、適宜状態まで生育させる。育成された苗を育苗トレイごと運搬し、所望の場所に植えることになる。
【０００３】
鉢上げするには、ポットに用土を充填（土入れ）し、用土に穴を形成し、この穴に発根苗を落とし込む。そして、この発根苗の株元に用土を被せて鉢移植作業が完了する。苗生産の効率化のために、この鉢上げ作業の機械化が図られている。
【０００４】
鉢上げ作業の機械化のために、例えば特開平８−３７９３７号公報には、ポット内に８分目乃至９分目の用土を自動的に詰め込むようにした土詰め装置が記載されており、特開平８−３７９３８号公報には、土込めされた複数のポットに苗植え用等の孔をあけるポット内の土への孔あけ装置が記載されている。さらに、特開平１０−６６４５５号には、穴あけユニットを収容させたポット内に用土を供給することにより、発根苗を落とし込む凹部が形成されるようにした鉢植用土砂充填装置が記載されている。
【０００５】
前記特開平８−３７９３７号の土詰め装置では、トレーに収容した複数のポットをノズルの下端が入り込むように上昇させた上、土投入部材をノズルユニットのもとへ移動させて、ポットの８分目乃至９分目のところまで土を充填できるような容量をもつノズルの中に土を投入し、最後に、ポットを下降させることによって、これらの内部に上記した量の土を同時に、かつ自動的に詰め込むようにされたものである。
【０００６】
また、特開平８−３７９３８号の孔あけ装置では、土詰めユニットの上方に昇降板を昇降自在に取付け、この昇降板に交換自在に取付けたドリルユニットを駆動モータにより回転させながら下降させて、その下のトレー内の複数のポットに詰め込んだ土に均一な孔を同時にあけるようにしたものである。
【０００７】
また、特開平１０−６６４５５号の土砂充填装置は、複数の鉢を載せるトレイと、土砂落下穴が形成されたプレート、および土砂落下穴と鉢の上面開口とが対応した状態で鉢内に位置する凸部とからなる穴あけユニットと、トレイを持ち上げてプレートに対応させるリフト装置と、内部に撹拌部材が備えられ、かつ下面に開口を有し、しかもプレートの上面に位置する状態とプレートから退く状態とに動作する土砂貯留容器とからなるものである。
【０００８】
【発明が解決しようとする課題】
しかしながら、上述した従来の鉢移植方法及び鉢移植装置では、次のような問題が生じるおそれがある。ノズルによって用土を充填した場合にはポット内の用土が充分に締まった状態とならない。これに、ドリルで孔あけを行った場合には、形成された植え付け穴が崩れてしまうおそれがある。また、前記穴あけユニットを用いて形成する場合には、発根苗の径とポットの内径との比が大きくなると、ポット内に充填される用土の量が少なくなり、用土に含有される水分や肥料の量が少なくなり苗の生育を阻害するおそれがある。また、いずれによる鉢移植方法でも、発根苗の株元に覆土がなされないため、株元より水分が蒸発して、初期活着が遅れ、苗が生長不良となるおそれがある。
【０００９】
また、用土に植え付け穴を形成する機構として、鎮圧棒を用土に押圧させて形成するようにしたものがある。この鎮圧棒による方法では、粒径の小さい用土が用いられる場合には、充分な深さの植え付け穴を形成するためには大きな負荷に抗しなければならず、しかも、用土を締め付けてしまうおそれがある。用土が締め付けられた場合には、苗の根の成長にとって障害となるおそれがある。
【００１０】
そこで、この発明は、ポット内の用土に形成された植え込み穴が崩れることがなく、発根苗を確実に落とし込むことができ、しかも用土を固めることがないので根の生育に支障が生ぜず、また、植え込み穴に落とされた発根苗の株元に確実に覆土して根の部分の水分の蒸発を阻止することができる発根苗の鉢移植方法及び鉢移植装置を提供することを目的としている。
【００１１】
【課題を解決するための手段】
前記目的を達成するための技術的手段として、この発明に係る発根苗の鉢移植方法は、ポットに充填された用土に植え込み穴を形成し、該植え込み穴に発根苗を落とし込んで鉢上げする発根苗の鉢移植方法において、ポットに用土を充填し、前記用土に散水し、含水した前記用土に植え込み穴を形成し、前記植え込み穴に発根苗を落とし込むことを特徴としている。
【００１２】
ポット内の用土に散水することにより、該用土が含水し、適宜に湿潤した状態で土粒同士が適宜に密着した状態となる。このため、この用土に植え込み穴を形成した場合でも、植え込み穴が崩れ落ちるのを極力防止でき、形状を維持できて、発根苗を落とし込む作業に支障が生じない。しかも、適宜な湿潤状態にあるため、植え込み穴の形成に過大な負荷とならず、容易に形成できると共に、所望の径と深さの植え込み穴を確実に形成することができる。
【００１３】
また、請求項２の発明に係る発根苗の鉢移植方法は、ポットに充填された用土に植え込み穴を形成し、該植え込み穴に発根苗を落とし込んで鉢上げする発根苗の鉢移植方法において、ポットに用土を充填し、前記用土に散水し、含水した前記用土に植え込み穴を形成し、前記植え込み穴に発根苗を落とし込み、前記発根苗の株元に散水して植え込み穴を埋めることを特徴としている。
【００１４】
植え込み穴に発根苗が落とし込まれた状態では、該穴形状が維持されているから、発根苗の株元には用土が被せられていない状態となるおそれがある。例えば、この状態でポットを適宜に振動させるなどして植え込み穴の上縁部を崩して株元に用土を被せることができるが、散水して該上縁部を崩せば鉢上げされた発根苗への給水とほぼ同時に株元に用土を被せられるので、作業が簡便となって好ましい。
【００１５】
また、請求項３の発明に係る発根苗の鉢移植方法は、前記植え込み穴を、ドリルで穿って形成することを特徴としている。
【００１６】
植え込み穴の形成にドリルを用いることにより、小さな負荷で植え込み穴を穿つことができる。しかも、ドリルの回転によって用土が上昇させられ、植え込み穴の上縁部には用土が盛り上がった状態となる。このため、該盛り上がった用土を崩せば、発根苗の株元に覆土することができる。さらに、ドリルの口径を変更することにより、内径の異なる植え込み穴を容易に形成することができるので、ポットの形状に左右されず、確実に植え込み穴を形成することができる。
【００１７】
また、請求項４の発明に係る発根苗の鉢移植方法は、前記ポットは適宜個数をトレイに収容させて供することを特徴としている。
【００１８】
複数のポットに同時に散水できるので、効率よく散水することができると共に、複数のポットを簡便に取り扱うことができる。
【００１９】
また、請求項５の発明に係る発根苗の鉢移植装置は、ポットに用土を充填し、該用土に植え込み穴を形成し、この植え込み穴に発根苗を落とし込んで鉢上げする発根苗の鉢移植装置において、ポットに用土を充填する土込め手段と、前記ポットに込められた用土に対して散水する散水手段と、散水され含水した用土に植え込み穴を形成する穴形成手段とを備えたことを特徴としている。
【００２０】
土込め手段によって用土をポットに充填し、散水手段で散水して用土を湿潤化する。この用土に穴形成手段によって植え込み穴を形成し、この植え込み穴に発根苗を落とし込む。植え込み穴を形成する際に用土が含水しているから、形成された植え込み穴が崩れてしまうことがなく、確実に発根苗を鉢上げすることができる。なお、土込め手段としては、手作業による場合であっても、また前記特開平８−３７９３７号に記載された土詰め装置を用いることもできる。
【００２１】
また、請求項６の発明に係る発根苗の鉢移植装置は、ポットに用土を充填し、該用土に植え込み穴を形成し、この植え込み穴に発根苗を落とし込んで鉢上げする発根苗の鉢移植装置において、ポットに用土を充填する土込め手段と、前記ポットに込められた用土に対して散水する準備散水手段と、散水され含水した用土に植え込み穴を形成する穴形成手段と、前記植え込み穴に落とし込まれた発根苗の株元に散水する完了散水手段とを備えたことを特徴としている。
【００２２】
植え込み穴に落とし込まれた発根苗に対して前記完了散水手段により散水すると、植え込み穴の上縁部の用土が崩されて植え込み穴に落下する。これにより発根苗の株元に覆土される。なお、前記準備散水手段と前記完了散水手段とを兼用することもできる。
【００２３】
また、請求項７の発明に係る発根苗の鉢移植層は、前記穴形成手段は、ドリルにより用土に穴を穿って植え込み穴を形成することを特徴としている。
【００２４】
ドリルの回転によって植え込み穴を穿設するため、所望の口径と深さのものを容易に形成することができる。しかも、植え込み穴のために排除された用土は形成された植え込み穴の上縁部に盛られた状態となるから、これを崩すことによって該植え込み穴に落とし込まれた発根苗の株元に容易に、かつ確実に覆土することができる。
【００２５】
また、請求項８の発明に係る発根苗の鉢移植装置は、前記ポットは適宜個数をトレイに収容させ、該トレイに収容されているポットに対して、土込めと散水、穴形成を行うことを特徴としている。
【００２６】
同時に多数のポットを取り扱うことができ、多数のポットの用土に対して散水できるので、作業効率が向上する。しかも、多数のポットに対して容易に鉢上げすることができる。
【００２７】
【発明の実施の形態】
以下、図示した好ましい実施の形態に基づいて、この発明に係る発根苗の鉢移植方法及び鉢移植装置を具体的に説明する。
【００２８】
図６はこの発明に係る発根苗の鉢移植方法及び鉢移植装置により鉢上げする発根苗ＳとポットＰを示す概略の断面図である。鉢上げは、種子を植えて発芽させ発根させて適宜に生育した発根苗Ｓを、用土Ｇが充填されたポットＰに移し替える作業である。この鉢上げによって、発根苗Ｓをさらに生長させて、花壇や畑などに植え替えることができるようにする。
【００２９】
図１はこの発明に係る発根苗の鉢移植装置１の概略構造を示す正面図である。この鉢移植装置１は、搬出入などの便となるよう所望の場所で作業を行えるように、キャスター２ａが取り付けられた台車２に装備されて移動可能とされている。台車２の一方の側には散水手段としての散水装置３が配置され、他方の側には穴形成手段としての穿孔装置５が配置されている。
【００３０】
散水装置３は、台車２上に設けられた排水バット３１と、該排水バット３１の上部に適宜本数で格子状となって掛け渡された支持ロッド３２ａ　、３２ｂ　と、該排水バット３１に対して昇降可能な傘状をしたフード３３とを備えている。フード３３は台車２上に設けられた散水装置フレーム３４に取り付けられた昇降シリンダ３５によって昇降されるよう、該昇降シリンダ３５のピストンロッド３５ａ　に取り付けられて支持されている。そして、下降時には、該フード３３の下端部が前記排水バット３１内に位置するようにしてある。フード３３の天井面には散水ノズル３３ａ　が配されており、この散水ノズル３３ａ　から排水バット３１に向けて散水されるようにしてある。なお、フード３３は散水装置フレーム３４に設けられた昇降ガイドロッド３６に案内されて昇降する。
【００３１】
前記排水バット３１の前方には、図２に示すようにセット板３７が設けられており、このセット板３７にトレイ７をセットし、これを前記支持ロッド３２ａ　上を滑らせて排水バット３１の上方に供給するようにしてある。前記支持ロッド３２ａ　の奥部側端部の上方にはストッパ３８が設けられており、供給されたトレイ７がこれに当接するまで移動させることにより、該トレイ７がフード３３の下方に位置するようにしてある。また、排水バット３１の上方を、前記支持ロッド３２ａ　の長手方向と交差する水平方向に移動可能に押出レバー３９が設けられている。この押出レバー３９は、排水バット３１の背面側に設けられた押出シリンダ４０に支持されており、この押出シリンダ４０の動作によって移動することになる。また、前記押出レバー３９は、図２に示すように、トレイ７を排水バット３１の上方に供給する支障のない位置と、該トレイ７を排水バット３１の上方から前記穿孔装置５に供するのに適宜となる位置との間で移動することができる。
【００３２】
前記穿孔装置５は、トレイ７を載置させる台車２上に設けられたベッド５１と、このベッド５１に対して昇降可能なドリルヘッド５２と、ベッド５１に載置されたトレイ７を挟持して保持するクランプレバー５３とを備えている。ドリルヘッド５２は、穿孔装置フレーム５４に支持された昇降シリンダ５５のピストンロッド５５ａ　に支持されており、該昇降シリンダ５５の動作によってドリルヘッド５２が昇降する。このドリルヘッド５２の昇降は、昇降ロッド５２ａ　に案内されている。ドリルヘッド５２の下部には適宜数のドリル５６が取り付けられており、ドリルヘッド５２にはこれらドリル５６を駆動する駆動モータ５７が取り付けられている。なお、ドリル５６は、前記トレイ７に収容されたポットの列数と同数のものが取り付けられており、ドリルヘッド５２が行方向、即ち図４においてＡ−Ｂ方向へ移動するようにしてある。この行方向への移動は、前記昇降シリンダ５５が取り付けられたシリンダブラケット６２が、該シリンダブラケット６２に設けられた駆動モータ６４の動力によって、穿孔装置フレーム５４の上部に設けられたガイドロッド６３に案内されて行われる。すなわち、穿孔装置フレーム５４の側面にはラック６５が設けられ、駆動モータ６４の出力軸に嵌着されたピニオン６４ａ　がこのラック６５に噛合しており、駆動モータ６４の出力軸の回転によってピニオン６４ａ　がラック６５に案内されて移動するから、この移動によって駆動モータ６４と共にシリンダブラケット６２が移動することになる。
【００３３】
前記ベッド５１の上方には、平面形状がほぼＬ字形をしたストッパ５８が配されており、トレイ７は該ストッパ５８に当接した状態で位置決めされるようにしてある。このストッパ５８は搬出用レバー５９に取り付けられており、該搬出用レバー５９を連繋させた搬出用シリンダ６０の作動によって、前記支持ロッド３２ａ　と平行な方向に摺動可能とされている。この摺動は、ストッパ５８が前記散水装置３から搬送されるトレイ７を受け入れることができる位置と、穿孔装置５から排出する位置との間を摺動するようにしてある。穿孔装置５のベッド５１の前方には受け板６１が設けられており、穿孔装置５から排出されたトレイ７はこの受け板６１に載置される。
【００３４】
以上により構成されたこの発明に係る発根苗の鉢移植装置の動作を説明し、併せて鉢移植方法を説明する。
【００３５】
トレイ７に収容されたポットＰに、従来の用土充填装置などを用いて用土Ｇを適宜な量で充填する。ポットＰを収容したトレイ７を散水装置３の前記セット板３７に搬入し、これを押し込む。トレイ７を、前記支持ロッド３２ａ　上を滑動させて前記ストッパ３８に当接するまで押し込めば、トレイ７は前記フード３３の下方に位置することになる。
【００３６】
図示しない起動スイッチの操作によって前記昇降シリンダ３５が作動し、フード３３が下降して下端縁が前記排水バット３１内に位置した状態となる。この状態で、前記散水ノズル３３ａ　から水を噴射させる。このとき、ポットＰ内の用土が適宜な含水量となるよう、散水時間や散水ノズルの散水形態を予め調整し、当該時間で散水を終了する。
【００３７】
散水が終了すると前記フード３３が上昇し、前記押出シリンダ４０が作動する。これにより、トレイ７が前記穿孔装置５に向けて押出レバー３９により押し出され、穿孔装置５の前記ストッパ５８に当接する。ストッパ５８に規制されてトレイ７は前記ドリルヘッド５２に対して所定の位置でベッド５１に載置される。また、前記クランプバー５３によってトレイ７が不用意に位置ずれしないよう保持させる。次いで、昇降シリンダ５５が適宜位置まで下降し、ドリルヘッド５２がトレイ７、即ちポットＰに対して所定の高さに該ドリルヘッド５２のドリル５６が位置する。例えば、トレイ７に９×９の行列でポットＰが配列されているものとする。このトレイ７に収容されたポットＰの用土Ｇに植え込み穴Ｈを形成するには、９本のドリル５６がドリルヘッド５２に並設されている。そして、ドリルヘッド５２が下降した際には、例えば、第１列の９個のポットＰに対して植え込み穴Ｈを形成できる位置に位置する。そして、ドリル５６を回転させながら、ドリルヘッド５２を徐々に下降させることによりポットＰ内に用土Ｇに植え込み穴Ｈを穿設する。このとき、ドリル５６の回転によって植え込み穴Ｈが形成される部分の用土Ｇが徐々に上昇され、図５（ｃ）に示すように、形成された植え込み穴Ｈの上縁部に用土Ｇが盛り上げられた状態となる。
【００３８】
第１列目のポットＰに対して所望の深さの植え込み穴Ｈが形成されたならば、ドリルヘッド５２を上昇させて、ドリル５６を植え込み穴Ｈから抜去する。このとき、ドリル５６の刃の間に残留した用土Ｇが適宜に落下して植え込み穴Ｈの上縁部にさらに盛り土されることになる。次いで、ドリルヘッド５２を水平方向に移動させてドリル５６を第２列のポットＰの上方に位置させる。そして、第１列目の場合と同様に植え込み穴Ｈを穿設する。この動作を第９列まで繰り返して行えば、トレイ７内の全てのポットＰに対して植え込み穴Ｈを形成することができる。
【００３９】
トレイ７内の全てのポットＰの用土Ｇに対して植え込み穴Ｈの形成が完了したならば、前記搬出用シリンダ６０が作動してトレイ７は穿孔装置５の前方に押動し、前記受け板６１上に移動させる。そして、このトレイ７に収容されているポットＰの用土Ｇに形成された植え込み穴Ｈに発根苗Ｓを落とし込めば、図５（ｄ）に示す状態となる。この状態では、同図に示すように、株元には覆土されていない。そこで、発根苗Ｓに対して散水を行う。散水することにより植え込み穴Ｈの上縁部に盛り上げられた用土Ｇが崩れて植え込み穴Ｈに落下する。これにより、図５（ｅ）に示すように、株元に覆土されることになり、鉢上げが完了する。
【００４０】
なお、この実施形態では、発根苗Ｓを植え込み穴Ｈに落とし込んだ後、散水することにより株元に覆土するものとして説明したが、例えば、トレイ７に振動を付与して植え込み穴Ｈの上縁部に盛り上げられた用土Ｇを崩すことによって株元に覆土することもできる。なお、鉢上げ後には発根苗Ｓに水を付与するために散水するから、この散水時に盛り土を崩して株元を覆土することができれば、鉢上げ作業が簡便となって好ましい。
【００４１】
また、ドリル５６をトレイ７に収容されたポットの列数と同数のものが取り付けられた構造として説明したが、単一のドリルを順次移動させながら植え込み穴Ｈを形成する構造であっても、さらに、行数×列数の個数のドリルを備えて、ほぼ同時に全ての植え込み穴Ｈを形成する構造とすることもできる。
【００４２】
【発明の効果】
以上説明したように、この発明に係る発根苗の鉢移植方法及び鉢移植装置によれば、植え込み穴の形成に先立って散水するから、用土が適宜に含水し、土粒同士が適宜に密着した状態にし、植え込み穴を形成した後に該植え込み穴が崩れることが極力防止される。したがって、この植え込み穴に発根苗を確実に投入することができ、鉢上げ作業を容易に行うことができる。
【００４３】
また、請求項２の発明に係る発根苗の鉢移植方法、または請求項６の発明に係る発根苗の鉢移植装置によれば、植え込み穴に発根苗を落とし込んだ後に散水するから、植え込み穴が水圧を受けて崩れ、これにより株元に覆土される。したがって、苗を確実に生育させることができる。
【００４４】
また、請求項３の発明に係る発根苗の鉢移植方法、または請求項７の発明に係る発根苗の鉢移植装置によれば、散水された用土にドリルで植え込み穴を穿設するから、大きな負荷に対抗する必要がなく、確実に植え込み穴を形成することができる。しかも、ドリルの回転によって植え込み穴から排出された用土が植え込み穴の上縁部に盛られ、この盛り土を崩すことにより容易に株元に覆土することができる。したがって、鉢上げ作業がより容易となる。
【００４５】
また、請求項４の発明に係る発根苗の鉢移植方法、または請求項８の発明に係る鉢移植装置によれば、ほぼ同時に多数のポットに対して鉢上げを行えるので、鉢上げ作業をより簡便に行うことができる。
【図面の簡単な説明】
【図１】この発明に係る発根苗の鉢移植装置の概略の構造を説明する図で、鉢移植装置の正面図である。
【図２】図１に示す鉢移植装置の平面図である。
【図３】図１に示す鉢移植装置の左側面図である。
【図４】図１に示す鉢移植装置の右側面図である。
【図５】この鉢移植装置により行われる鉢移植方法に関する工程を説明する図である。
【図６】この発明に係る鉢移植装置によって鉢上げされるのに適した発根苗とポットとを示す概略の断面図である。
【符号の説明】
Ｓ　発根苗
Ｐ　ポット
Ｇ　用土
Ｈ　植え込み穴
１　鉢移植装置
２　台車
３　散水装置（散水手段）
５　穿孔装置（穴形成手段）
７　トレイ
３１　排水バット
３３　フード
３４　散水装置フレーム
３５　昇降シリンダ
３７　セット板
３８　ストッパ
３９　押出レバー
５１　ベッド
５２　ドリルヘッド
５３　クランプレバー
５４　穿孔装置フレーム
５５　昇降シリンダ
５６　ドリル
５７　駆動モータ
５８　ストッパ
５９　搬出用レバー
６１　受け板
【図１】
2004041135.tif 000003
【図２】
2004041135.tif 000004
【図３】
2004041135.tif 000005
【図４】
2004041135.tif 000006
【図５】
2004041135.tif 000007
【図６】
2004041135.tif 000008